(57)【特許請求の範囲】
【請求項１】
カード発行処理，送付台紙印字処理及びカード貼付処理をインラインで行なう発行処理装置と、
発行データを入力する入力部を有し、前記発行データに基づいて、前記発行処理装置に発行指示を行なう制御装置と、を備え、
前記制御装置は、カードを発行するためのカード発行データ部と、送付台紙を発行するための送付台紙発行データ部と、前記カード発行データ部と前記送付台紙発行データ部とを関連付けする関連付けデータ部と、を有する発行データに基づいて、前記発行処理装置を制御すること
を特徴とするカード発行処理システム。
【請求項２】
請求項１に記載のカード発行処理システムにおいて、
前記送付台紙発行データ部は、全てのカードを対象とする全カード対象データ部と、１通の送付台紙に対して１枚存在する親カードのみを対象とする親カード専用データ部と、を有すること
を特徴とするカード発行処理システム。
【請求項３】
請求項１又は請求項２に記載のカード発行処理システムにおいて、
前記全カード対象データ部は、カードを送付台紙に貼り付けるステッカーをカードに貼り付ける貼付位置であるステッカーポジション情報と、カードを送付台紙に貼り付ける貼付位置であるカードポジション情報と、を有すること
を特徴とするカード発行処理システム。
【請求項４】
請求項１から請求項３までのいずれか１項に記載のカード発行処理システムにおいて、
前記親カード専用データ部は、１枚の送付台紙に何枚のカードを貼り付けるかを示すカード貼付け枚数情報と、前記送付台紙に印字する各送付台紙毎に異なる可変データ情報と、を有すること
を特徴とするカード発行処理システム。
【請求項５】
請求項１から請求項４までのいずれか１項に記載のカード発行処理システムにおいて、
前記発行処理装置は、送付台紙の雛型を登録する雛型登録データベース部を備え、
前記雛型登録データベース部に雛型情報を登録する台紙雛型登録部を更に備えること
を特徴とするカード発行処理システム。
【請求項６】
請求項５に記載のカード発行処理システムにおいて、
前記親カード専用データ部は、前記雛型登録データベース部に登録されている雛型情報を有すること
を特徴とするカード発行処理システム。
【請求項７】
請求項１から請求項６までのいずれか１項に記載のカード発行処理システムにおいて、
前記発行処理装置は、異なる送付台紙が収容された複数のトレイを有し、送付台紙に印字する台紙プリンタ部を備え、
前記親カード専用データ部は、前記台紙プリンタ部で使用されるトレイ情報を有すること
を特徴とするカード発行処理システム。
【請求項８】
請求項１から請求項７までのいずれか１項に記載のカード発行処理システムにおいて、
前記発行処理装置は、送付台紙を所定の折りタイプに従って、折りたたむ台紙折り部を備え、
前記親カード専用データ部は、送付台紙の折りタイプを示す折りタイプ情報を有すること
を特徴とするカード発行処理システム。
【発明の詳細な説明】
【０００１】
【発明の属する技術分野】
本発明は、接触・非接触型ＩＣカードや磁気テープを有するカードなどのカード発行処理システムに関し、特に、カード発行処理，送付台紙印字処理及びカード貼付処理をインラインで行なう発行処理装置を備えたカード発行処理システムに関するものである。
【０００２】
【従来の技術】
従来、この種のカード発行処理で扱う発行データは、カード自体に処理を施すためのカード発行データ（例えば、磁気ストライプ、接触型・非接触型ＩＣチップへの書き込みデータ、エンボス文字、バーコード印字文字、顔写真など）の他に、カードをカードユーザへ郵送するための送付台紙に必要な送付台紙印字データ（例えば、宛先住所、宛名など）が存在する。
【０００３】
従来のカード発行処理システムは、カード発行処理工程と送付台紙印字処理工程とは、個別の発行装置を用いて行っており、各処理工程の完了後に、送付台紙へカードをセットする工程で、カードの磁気ストライプデータなどをマッチング情報として、１通の送付台紙に対して、１枚又は複数枚のカードをセットしていた。このため、カード発行データと送付台紙印字データとは、別媒体で管理しており、送付台紙印字データ内には、カード発行データとのマッチング情報が必要であった。
【０００４】
また、家族会員向けのカードを郵送する業務では、１通の送付台紙に対して、複数枚のカードをセットする場合があり、カード発行データは、カード１枚／１レコード、送付台紙印字データは、台紙１通／１レコードで構成していたために、「カード発行データレコード数」≧「送付台紙印字データレコード数」という関係があった。
【０００５】
【発明が解決しようとする課題】
しかし、前述した従来の技術では、カード発行処理，カード送付台紙印字処理及びカード貼付処理を、インラインによって処理する発行処理装置の場合に、「カード発行データレコード数」≧「送付台紙印字データレコード数」という関係上、発行データを１つの媒体で管理することができす、媒体管理作業に負荷がかかるという問題や、各発行データのマッチングエラーが発生する危険性があるという問題があった。
【０００６】
本発明の課題は、カード発行処理，送付台紙印字処理及びカード貼付処理をインラインで行なうことができると共に、発行データを１つの媒体で管理することができるカード発行処理システムを提供することである。
【０００７】
【課題を解決するための手段】
前記課題を解決するために、請求項１の発明は、カード発行処理，送付台紙印字処理及びカード貼付処理をインラインで行なう発行処理装置と、発行データを入力する入力部を有し、前記発行データに基づいて、前記発行処理装置に発行指示を行なう制御装置と、を備え、前記制御装置は、カードを発行するためのカード発行データ部と、送付台紙を発行するための送付台紙発行データ部と、前記カード発行データ部と前記送付台紙発行データ部とを関連付けする関連付けデータ部と、を有する発行データに基づいて、前記発行処理装置を制御することを特徴とするカード発行処理システムである。
【０００８】
請求項２の発明は、請求項１に記載のカード発行処理システムにおいて、前記送付台紙発行データ部は、全てのカードを対象とする全カード対象データ部と、１通の送付台紙に対して１枚存在する親カードのみを対象とする親カード専用データ部と、を有することを特徴とするカード発行処理システムである。
【０００９】
請求項３の発明は、請求項１又は請求項２に記載のカード発行処理システムにおいて、前記全カード対象データ部は、カードを送付台紙に貼り付けるステッカーをカードに貼り付ける貼付位置であるステッカーポジション情報と、カードを送付台紙に貼り付ける貼付位置であるカードポジション情報と、を有すること
を特徴とするカード発行処理システムである。
【００１０】
請求項４の発明は、請求項１から請求項３までのいずれか１項に記載のカード発行処理システムにおいて、前記親カード専用データ部は、１枚の送付台紙に何枚のカードを貼り付けるかを示すカード貼付け枚数情報と、前記送付台紙に印字する各送付台紙毎に異なる可変データ情報と、を有することを特徴とするカード発行処理システムである。
【００１１】
請求項５の発明は、請求項１から請求項４までのいずれか１項に記載のカード発行処理システムにおいて、前記発行処理装置は、送付台紙の雛型を登録する雛型登録データベース部を備え、前記雛型登録データベース部に雛型情報を登録する台紙雛型登録部を更に備えることを特徴とするカード発行処理システムである。
【００１２】
請求項６の発明は、請求項５に記載のカード発行処理システムにおいて、前記親カード専用データ部は、前記雛型登録データベース部に登録されている雛型情報を有することを特徴とするカード発行処理システムである。
【００１３】
請求項７の発明は、請求項１から請求項６までのいずれか１項に記載のカード発行処理システムにおいて、前記発行処理装置は、異なる送付台紙が収容された複数のトレイを有し、送付台紙に印字する台紙プリンタ部を備え、前記親カード専用データ部は、前記台紙プリンタ部で使用されるトレイ情報を有することを特徴とするカード発行処理システムである。
【００１４】
請求項８の発明は、請求項１から請求項７までのいずれか１項に記載のカード発行処理システムにおいて、前記発行処理装置は、送付台紙を所定の折りタイプに従って、折りたたむ台紙折り部を備え、前記親カード専用データ部は、送付台紙の折りタイプを示す折りタイプ情報を有することを特徴とするカード発行処理システムである。
【００１５】
【発明の実施の形態】
以下、図面等を参照して、本発明の実施の形態について、さらに詳しくに説明する。
図１は、本発明によるカード発行処理システムの実施形態のカード発行データのフォーマットを示すイメージ図である。
サーチコードＡは、レコードを一意的なものにするための連番データであり、この例では、各レコードの先頭に０００００１から昇順に付番してある。
【００１６】
カード発行データＢは、カード自体に対して処理を施すための発行データであり、この例では、１枚のカードに対して１レコードで構成してある。
このカード発行データＢは、ＥＢ（エンボス）、ＥＣ（エンコード）などの発行種毎に、データ分割して構成され、各発行種データの先頭と末尾には、開始と終了を表す制御コードを持っている。なお、発行種には、ＩＣなど他にも存在し、図に示したフォーマットに限定されるものではない。
【００１７】
送付台紙発行データＣは、親カード専用データＤ及び全カード対象データＥが存在する。
親カード専用データＤは、１通の送付台紙毎に挿入される情報であり、以下の情報Ｄ１〜Ｄ５を持っている。なお、各データの先頭には、データの開始を示すバイナリコードを持っている。
（Ｄ１）貼付け枚数
貼付け枚数は、１通の送付台紙に対して貼り付けるカードの枚数である。
（Ｄ２）雛型ファイル名
雛型ファイル名は、台紙雛型ＤＢ２−７に登録されている雛型ファイル名である。
（Ｄ３）トレイ番号
トレイ番号は、台紙プリンタ部２−８のトレイ番号（例，１：上段トレイ、２：下段トレイ、３：シートフィーダー）である。
（Ｄ４）折りタイプ
折りタイプは、送付台紙の折りタイプ（例，０：折り無し、１：標準Ｃ折り、２：逆Ｃ折り、３：Z 折り宛名上段、４：Z 折り宛名下段、５：２つ折り宛名上段、６：２つ折り宛名下段）である。
（Ｄ４）可変データ
可変データは、雛型ファイルで定義されている可変データ印字位置へ印字するデータであり、雛型ファイルで定義した可変テキスト情報の項目数分だけ存在する。
【００１８】
全カード対象データＥは、全レコードが持つ情報であり、以下の情報Ｅ１，Ｅ２を持っている。なお、各データの先頭には、データの開始を示すバイナリコードを持っている。
（Ｅ１）ステッカーポジション
ステッカーポジションは、カード裏面のステッカー貼付け位置である。カード左下端より、ステッカ左下端までの水平・垂直値を指定する［後述する図４（Ｃ）のｓ，ｔ参照］。
（Ｅ２）カードポジション
カードポジションは、送付台紙上のカード貼付け位置である。送付台紙左下端より、カード左下端までの水平・垂直値を指定する［後述する図４（Ｄ）のＸ，Ｙ参照］。
【００１９】
図２は、本発明によるカード発行処理システムの実施形態を示すブロック図である。
このカード発行処理システムは、制御ＰＣ１と、発行処理装置２と、台紙雛型登録部３等とを備えている。
【００２０】
制御ＰＣ１は、発行データが格納された媒体の入力部を有し、発行データを１レコード毎リードし、レコード内の情報に基づいて、発行処理装置２へ発行指示して、発行処理装置２を制御する部分である。
【００２１】
発行処理装置２は、制御ＰＣ１０からの発行指示に基づいて、カード発行処理，送付台紙発行処理及びカード貼付処理を行う装置である。
この発行処理装置２は、台紙雛型登録部３から登録される台紙雛型情報を台紙雛型ＤＢ２−７内へ格納する装置である。
また、この発行処理装置２は、カード供給部２−１から台紙スタッカー部２−１１までは、1 本の搬送路２−１２によって連結されている。この搬送路２−１２は、カードを搬送するためのカード搬送路２−１２Ａ及び送付台紙を搬送するための送付台紙搬送路２−１２Ｂからなる。
【００２２】
カード供給部２−１は、発行処理前の生カードを複数枚スタックし、制御ＰＣ１からの指示によりカードを1 枚ずつカード搬送路２−１２へ供給する部分である。
ＥＢ発行部２−２は、発行データ内のエンボス発行データに基づいて、搬送されてくるカードに対してエンボス文字を発行する部分である。
ＥＣ発行部２−３は、発行データ内のエンコード発行データに基づいて、搬送されてくるカードに対してエンコード発行する部分である。
バーコード印字部２−４は、発行データ内のバーコード印字データに基づいて、搬送されてくるカードに対してバーコード印字する部分である。
顔写真発行部２−５は、発行データ内の顔写真発行データに基づいて、搬送されてくるカードに対して顔写真を発行する部分である。
ステッカー貼付部２−６は、発行データ内のステッカーポジションデータに基づいて、搬送されてくるカードに対してステッカーを貼付する部分である［図４（Ｃ）参照］。
【００２３】
台紙雛型ＤＢ２−７は、台紙雛型登録部３より、雛型ファイル名を含む台紙雛型情報を格納するデータベースである部分である。
雛型ファイル名は、１種の送付台紙レイアウトに対して、１ファイルの単位で保存する情報であり、固定テキスト情報、可変テキスト情報の２項目に大別され、送付台紙のレイアウトによって各々の項目数が可変である。
固定テキスト情報は、項目ごとに、ロケーション（フォーム内の位置）、フォント（字形）、ポイント（文字の大きさ）が設定される。また、可変テキスト情報は、項目ごとに、可変データＮｏ．（発行データ内可変データとマージ（合成）するための情報) 、ロケーション、フォント、ポイントが設定される。
【００２４】
台紙プリンタ部２−８は、発行データ内の雛型ファイル名を台紙雛型ＤＢ２−７から参照し、台紙雛型情報を得る。
この台紙プリンタ部２−８は、（１）発行データ内の可変データと、台紙雛型情報内の可変テキスト情報をマージする、（２）発行データ内のトレイ番号をもとにして、指定されたトレイから印字前送付台紙を１枚供給する、（３）台紙雛型情報及び発行データ内の可変データをもとにして、供給した印字前送付台紙へ印字する、（４）印字した送付台紙をカード貼付部２−９へ供給する、等の動作を行なう。
【００２５】
カード貼付部２−９は、発行データ内のカードポジションデータに基づいて、台紙プリンタ部２−８から供給される送付台紙に対して、ステッカー貼付部２−６から搬送されてくるカードを貼付する（カード貼付処理）部分である。
このカード貼付部２−９は、（１）親カード専用データ内の貼付け枚数データを記憶し、既に貼付済みの枚数と比較する、（２）貼付済み枚数が貼付け枚数データに満たない間は、カード貼付処理を継続する、（３）貼付済み枚数＝貼付け枚数データになった場合は、台紙折り部２−１０へ送付台紙を供給する、等の動作を行なう。
【００２６】
台紙折り部２−１０は、親カード専用データ内の折タイプデータに基づいて、送付台紙を折りたたむ。
台紙スタッカー部２−１１は、台紙折り部２−１０から連続して供給される送付台紙を、発行序列順にスタックする。
【００２７】
台紙雛型登録部３は、台紙雛型ＤＢ２−７へ台紙雛型情報を登録する部分である。
【００２８】
図３は、本実施形態によるカード発行処理システムのカード発行からカード貼付済みの送付台紙を排出する処理までを示すフローチャート、図４は、本実施形態によるカード発行処理システムの発行データ・イメージとこれに対応する出力結果の例を示す図である。
【００２９】
制御ＰＣ１は、発行データをリードし（Ｓ１０１）、レコード数ループし（Ｓ１０２）、発行データを１レコードリードし（Ｓ１０３）、レコード内の情報に基づいて、発行処理装置２へカード発行の指示を行なう（Ｓ１０４）。
【００３０】
発行処理装置２は、待機状態において（Ｓ２０１）、制御ＰＣ１からカード発行指示を受けると（Ｓ２０２）、カード供給部２−１によりカードを1 枚供給し（Ｓ２０２）、ＥＢ発行部２−２でエンボス発行処理（Ｓ２０３）を、ＥＣ発行部２−３でエンコード発行処理（Ｓ２０４）を、バーコード印字部２−４でバーコード印字処理（Ｓ２０５）を、顔写真発行部２−５で顔写真発行処理（Ｓ２０６）を、それぞれ行なって、カード発行を終了し（Ｓ２０７）、制御ＰＣ１のＳ１０５へ進む。
【００３１】
制御ＰＣ１は、そのカードが親カードか否かを判断し（Ｓ１０５）、親カードの場合には、以下に示すような送付台紙印字処理を行なう。
ここで、図４（Ａ）の送付台紙発行データにおいて、網掛け部分は、全カード対象データを示し、それ以外の部分は、親カード専用データを示している。
親カード専用データは、左から「貼付け枚数、雛型ファイル名、トレイ番号、折りタイプ、可変データ１〜３」である。また、全カード対象データは、左から「ステッカーポジション、カードポジション」である。
【００３２】
まず、制御ＰＣ１は、発行処理装置２に使用する雛型ファイルを指示する（Ｓ１０６）。発行処理装置２は、台紙雛型ＤＢ２−７から、雛型ファイルをリードする（Ｓ２０８）。
【００３３】
台紙雛型登録部３は、予め、固定テキスト情報の入力（Ｓ３０１）、可変テキスト情報の入力（Ｓ３０２）を行い、台紙雛型ＤＢ２−７に、台紙雛型を登録してある。
【００３４】
制御ＰＣ１がトレイ番号を指示すると（Ｓ１０７）、発行処理装置２は、台紙５を１通供給する（Ｓ２１０）。ついで、制御ＰＣ１が可変データを指示すると（Ｓ１０８）、発行処理装置２は、図４（Ｂ）に示すように、台紙プリンタ部２−８で可変データ１，２，３などを台紙６にプリントする（Ｓ２１１）。
【００３５】
次に、制御ＰＣ１は、発行処理装置２に貼付け枚数の指示（Ｓ１０９）、折りタイプの指示（Ｓ１１０）及びステッカーポジションの指示（Ｓ１１１）を行なう。すると、発行処理装置２は、図４（Ｃ）に示すように、ステッカー貼付部２−６でカード６にステッカー７を貼り付ける（Ｓ２１１）。
そして、制御ＰＣ１がカードポジションを指示すると（Ｓ１１１）、発行処理装置２は、図４（Ｄ）に示すように、カード貼付部２−９で台紙５にカード６を貼り付ける（Ｓ２１２）。
【００３６】
ここで、発行処理装置２は、カード貼付け枚数分が完了したか否かを判断し（Ｓ２１３）、完了している場合には、台紙折り部２−１０で台紙５を折りたたみ（Ｓ２１４）、台紙スタッカー部２−１１へ排出する（Ｓ２１５）。台紙スタッカー部２−１１へ排出された送付台紙は、窓開き封筒に封入・封緘される。
カード貼付け枚数分が完了していない場合には、Ｓ２０１に戻り、次のカードを発行して、前述したのと同様の処理を行なう。
【００３７】
以上説明した実施形態に限定されることなく、種々の変形や変更が可能であって、それらも本発明の均等の範囲内である。
例えば、バーコードや顔写真が不要なカードについては、バーコード印字部２−４や顔写真発行部２−５を、スリーするように処理すればよい。
【００３８】
【発明の効果】
以上詳しく説明したように、本発明によれば、発行データに送付台紙発行データを含むフォーマットとしてあるので、カード発行処理，カード送付台紙印字処理及びカード貼付処理をインラインで行なう発行処理装置において、発行データを１つの媒体で管理することができる。
その結果として、媒体管理作業の負荷を低減することや、マッチングエラーが発生する危険性を無くすことができる等の効果が得られる。
【図面の簡単な説明】
【図１】本発明によるカード発行処理システムの実施形態のカード発行データのフォーマットを示すイメージ図である。
【図２】本発明によるカード発行処理システムの実施形態を示すブロック図である。
【図３】本実施形態によるカード発行処理システムのカード発行からカード貼付済みの送付台紙を排出する処理までを示すフローチャート、
【図４】実施形態によるカード発行処理システムの発行データ・イメージとこれに対応する出力結果の例を示す図である。
【符号の説明】
１  制御ＰＣ
２  発行処理装置
２−１  カード供給部
２−２  ＥＢ発行部
２−３  ＥＣ発行部
２−４  バーコード印字部
２−５  顔写真発行部
２−６  ステッカー貼付部
２−７  台紙雛型ＤＢ
２−８  台紙プリンタ部
２−９  カード貼付部
２−１０  台紙折り部
２−１１  台紙スタッカー部
２−１２  搬送路
３  台紙雛型登録部
【図１】
0004669155.tif 000002
【図２】
0004669155.tif 000003
【図３】
0004669155.tif 000004
【図４】
0004669155.tif 000005